(57)【要約】  単一又は複数のメモリ・チップ（２０１〜２０Ｎ）を備えるメモリ装置である。このメモリ装置（メモリ・モジュール１００）は、単一又は複数のメモリ・チップ毎に規格情報、機能情報等の制御情報を記憶する記憶部（２２０）を備え、この記憶部にある制御情報の書換えを可能にしている。各メモリ・チップに個別に設置されている記憶部に記憶された制御情報により、メモリ・チップを個別に使用でき、メモリの互換性や融通性を高めたものである。
2007116483.tif 000002
【特許請求の範囲】
【請求項１】
単一又は複数のメモリ・チップを備えるメモリ装置であって、
メモリ・チップに該メモリ・チップの制御情報を記憶する記憶部を備えることを特徴とするメモリ装置。
【請求項２】
請求の範囲１のメモリ装置において、
前記メモリ・チップは、単一又は複数のメモリ・マトリクスを備えることを特徴とするメモリ装置。
【請求項３】
請求の範囲１のメモリ装置において、
前記制御情報は、前記メモリ・チップの規格情報及び／又は機能情報であることを特徴とするメモリ装置。
【請求項４】
請求の範囲１のメモリ装置において、
前記記憶部は、固定情報を記憶する第１の記憶素子と、変動情報を記憶する第２の記憶素子とを含むことを特徴とするメモリ装置。
【請求項５】
請求の範囲４のメモリ装置において、
前記第２の記憶素子の前記メモリ・チップの変動情報は、前記メモリ・チップを特定するアドレス情報に基づいて読み書き可能であることを特徴とするメモリ装置。
【請求項６】
請求の範囲４のメモリ装置において、
前記第１の記憶素子は、不揮発性記憶素子で構成したことを特徴とするメモリ装置。
【請求項７】
請求の範囲４のメモリ装置において、
前記第２の記憶素子は、読み書き可能な記憶素子を含むことを特徴とするメモリ装置。
【請求項８】
単一又は複数のメモリ・チップを備えるメモリ装置の制御方法であって、
前記メモリ・チップの制御情報を、前記メモリ・チップを特定するアドレス情報に基づいて読み書きするステップを含むことを特徴とする、メモリ装置の制御方法。
【請求項９】
単一又は複数のメモリ・チップを備えるメモリ装置の制御プログラムであって、
前記メモリ・チップに該メモリ・チップの制御情報を、前記メモリ・チップを特定するアドレス情報に基づいて読み書きする処理をコンピュータ装置に実行させるためのメモリ装置の制御プログラム。
【請求項１０】
単一又は複数のメモリ・チップを備えるメモリ装置を備えるメモリ・カードであって、
前記メモリ・チップに該メモリ・チップの制御情報を記憶する記憶部を備えることを特徴とするメモリ・カード。
【請求項１１】
請求の範囲１０のメモリ・カードにおいて、
前記メモリ・チップは、単一又は複数のメモリ・マトリクスを備えることを特徴とするメモリ・カード。
【請求項１２】
請求の範囲１０のメモリ・カードにおいて、
前記記憶部は、固定情報を記憶する第１の記憶素子と、変動情報を記憶する第２の記憶素子とを含むことを特徴とするメモリ・カード。
【請求項１３】
請求の範囲１２のメモリ・カードにおいて、
前記第２の記憶素子の前記メモリ・チップの変動情報は、前記第２の記憶素子から前記メモリ・チップを特定するアドレス情報に基づいて読み書き可能であることを特徴とするメモリ・カード。
【請求項１４】
請求の範囲１２のメモリ・カードにおいて、
前記第１の記憶素子は、不揮発性記憶素子で構成したことを特徴とするメモリ・カード。                                                                  
【請求項１５】
単一又は複数のメモリ・チップを備えるメモリ装置が搭載される回路基板であって、
前記メモリ装置が、メモリ・チップに該メモリ・チップの制御情報を記憶する記憶部を備えることを特徴とする回路基板。
【請求項１６】
請求の範囲１０、１１、１２、１３又は１４のメモリ・カードを装着するスロットを備えることを特徴とする回路基板。
【請求項１７】
請求の範囲１ないし７記載のメモリ装置を備えることを特徴とする電子機器。
【請求項１８】
請求の範囲１０、１１、１２、１３又は１４のメモリ・カードが搭載されたことを特徴とする電子機器。
【請求項１９】
請求の範囲１５又は１６記載の回路基板を備えることを特徴とする電子機器。
【発明の詳細な説明】
【技術分野】
【０００１】
本発明は、パーソナルコンピュータ（ＰＣ）等の電子装置における情報記憶に用いられるメモリに関し、特に、インタフェース機能を備えるメモリ装置、その制御方法、その制御プログラム、メモリ・カード、回路基板及び電子機器に関する。
【背景技術】
【０００２】
ＰＣには、ＪＥＤＥＣ（Joint Electron Device Engineering Council ）仕様のＳＤＲＡＭ（Synchronous Dynamic Random Access Memory）、ＤＤＲ−ＳＤＲＡＭ（Double Data Rate-SDRAM）等のメモリが使用されている。【０００３】
このようなメモリに関し、特許文献１には、メモリデバイスに適したタイミング情報を記憶するようにプログラム可能な複数のプログラマブル、タイミングレジスタを含むメモリコントローラが記載されている。特許文献２には、マイクロプロセッサ・チップと、不揮発性メモリ・チップとを内蔵し、これらを内部カード・バスで接続し、マイクロプロセッサ・チップがキー情報、用途情報、プログラム命令情報を含むメモリ・カードが記載されている。特許文献３には、入出力プロセッサにローカルメモリと結合された組み込みプロセッサを備えるコンピュータ・システムが記載されている。特許文献４には、内部にＳＰＩドライバとともに記憶手段を備えたメモリが記載されている。特許文献５には、単方向読出しバス、単方向書込みバス及びアドレスバスを経由してデータメモリにリンクされたＣＰＵを含むデータ処理システムが記載されている。特許文献６には、書込みデータを転送するバスと、読出しデータを転送するバスとを別々に設けてメモリコントローラとメモリとを接続したメモリシステムが記載されている。特許文献７には、周期信号の第１の移行に応答してランダムアクセスメモリへのデータ転送動作を制御するとともに、周期信号の第２の移行に応答してランダムアクセスメモリアレイからのデータ転送動作を制御する構成のランダムアクセスメモリが記載されている。特許文献８には、ＤＲＡＭ部とともにＤＲＡＭ制御及びキャッシュ／リフレッシュ制御部を備えるＣＤＲＡＭを含む半導体記憶装置が記載されている。特許文献９には、メモリアレイとともにコントロールユニットを備えるシンクロナスＤＲＡＭであって、データバスの内容と動作状態確認情報が等しい場合のみ、モードレジスタをセット可能にしたシンクロナスＤＲＡＭが記載されている。特許文献１０には、ＳＤＲＡＭ等のモードレジスタ制御回路が記載されている。
【特許文献１】特開平２００４−１１０７８５号公報（要約、図１等）
【特許文献２】特開平６−２０８５１５号公報（要約、図１等）
【特許文献３】特開平９−６７２２号公報（要約、図２等）
【特許文献４】特開２００５−１９６４８６号公報（段落番号００２９、図６等）
【特許文献５】特表平９−５０７３２５号公報（要約、図１等）
【特許文献６】特開２００２−６３７９１号公報（要約、図１等）
【特許文献７】特開平１１−３２８９７５号公報（要約、図２等）
【特許文献８】特開平７−１６９２７１号公報（段落番号００３８、図１等）
【特許文献９】特開平８−１２４３８０号公報（段落番号００２０、図２等）
【特許文献１０】特開平９−２５９５８２号公報（段落番号００２８、図１等）
【発明の開示】
【発明が解決しようとする課題】
【０００４】
ところで、図１に示すように、従来のメモリ・モジュール２では回路基板に複数のメモリ・チップ４１、４２・・・４Ｎが搭載されているとともに、ＳＰＤ（Serial Presence Detect）記憶部６が搭載され、メモリ・チップ４１、４２・・・４Ｎにはメモリアクセス用バス８、ＳＰＤ記憶部６にはＳＰＤアクセス用バス１０が接続されている。このようなメモリ・モジュール２では、メモリ・チップ４１、４２・・・４Ｎのタイプ、タイミングパラメータ等の規格や機能がＳＰＤ記憶部６に記憶されており、このメモリ・モジュール２と設定環境との整合性がＳＰＤ記憶部６の記憶情報によって支配されることになる。ＳＰＤ記憶部６はＥＥＰＲＯＭ（Electrically Erasable Programmable Read-Only Memory ）等の不揮発性メモリで構成される。メモリに必要な制御パラメータをメモリと別に持つことはそれに応じた対応や管理が必要であり、部品コスト、書込みコスト等の種々のコストが掛かる。【０００５】
また、メモリ・モジュール２に多数のメモリ・チップ４１、４２・・・４Ｎを備えていても、各メモリ・チップ４１、４２・・・４Ｎの仕様がＳＰＤ記憶部６によって規制を受けるため、各メモリ・チップ４１、４２・・・４Ｎを異なる仕様で個別に用いることができない。即ち、このようなメモリ・モジュール２は、融通性に欠けることになる。【０００６】
このような課題について、特許文献１〜１０にはその示唆や開示はなく、その解決手段についての開示もない。【０００７】
そこで、本発明の目的は、複数のメモリ・チップを備えるメモリに関し、個別にメモリ・チップを異なる仕様に対応できる等、融通性を高めることにある。【０００８】
また、本発明の他の目的は、メモリ・チップを個別に制御し、メモリの最適化を図ることにある。【０００９】
また、本発明の他の目的は、メモリの互換性を高めることにある。
【課題を解決するための手段】
【００１０】
上記目的を達成するため、本発明は、単一又は複数のメモリ・チップを備えるメモリ装置であって、メモリ・チップの規格情報、機能情報等の制御情報を記憶する記憶部を備えることにより、前記メモリ装置のメモリ・チップの制御情報の書換えや、複数のメモリ・チップを備える構成では、記憶された制御情報により、メモリ・チップを個別に使用できる構成としたものである。【００１１】
上記目的を達成するため、本発明の第１の側面は、単一又は複数のメモリ・チップを備えるメモリ装置であって、メモリ・チップに該メモリ・チップの制御情報を記憶する記憶部を備える構成である。斯かる構成において、メモリ・チップは、メモリ・モジュール等のメモリ装置を構成するメモリの構成単位である。メモリ・チップには、単一又は複数のメモリ・マトリクスを含んでいる。斯かる構成においては、メモリ・チップの制御情報が記憶部に記憶され、この記憶部にある制御情報を以てメモリ・チップ単位でのデータの読み書きが可能であり、また、記憶部の記憶情報である制御情報の書換えが可能である。従って、上記目的が達成される。【００１２】
上記目的を達成するためには、上記メモリ装置において、好ましくは、前記メモリ・チップは、単一又は複数のメモリ・マトリクスを備える構成としてもよく、斯かる構成によっても、上記目的が達成される。【００１３】
上記目的を達成するためには、上記メモリ装置において、好ましくは、前記制御情報は、前記メモリ・チップの規格情報及び／又は機能情報である構成としてもよく、斯かる構成によっても、上記目的が達成される。【００１４】
上記目的を達成するためには、上記メモリ装置において、好ましくは、前記記憶部は、固定情報を記憶する第１の記憶素子と、変動情報を記憶する第２の記憶素子とを含む構成としてもよく、斯かる構成によっても、上記目的が達成される。【００１５】
上記目的を達成するためには、上記メモリ装置において、好ましくは、前記第２の記憶素子の前記メモリ・チップの変動情報は、前記メモリ・チップを特定するアドレス情報に基づいて読み書き可能である構成としてもよく、斯かる構成によっても、上記目的が達成される。【００１６】
上記目的を達成するためには、上記メモリ装置において、好ましくは、前記第１の記憶素子は、不揮発性記憶素子で構成してもよく、斯かる構成によっても、上記目的が達成される。【００１７】
上記目的を達成するためには、上記メモリ装置において、好ましくは、前記第２の記憶素子は、読み書き可能な記憶素子を含む構成としてもよく、斯かる構成によっても、上記目的が達成される。【００１８】
上記目的を達成するため、本発明の第２の側面は、単一又は複数のメモリ・チップを備えるメモリ装置の制御方法であって、前記メモリ・チップの制御情報を、前記メモリ・チップを特定するアドレス情報に基づいて読み書きするステップを含む構成としてもよい。斯かる構成によれば、メモリ・チップのアドレス情報を用いることにより、メモリ・チップが特定され、その特定されたメモリ・チップの記憶部にある制御情報を書き換えることにより、使用環境の変化等に対応することができ、メモリ装置の互換性や最適化が図られる。【００１９】
上記目的を達成するため、本発明の第３の側面は、単一又は複数のメモリ・チップを備えるメモリ装置の制御プログラムであって、前記メモリ・チップに該メモリ・チップの制御情報を、前記メモリ・チップを特定するアドレス情報に基づいて読み書きする処理をコンピュータに実行させる構成としてもよい。斯かる構成によれば、メモリ装置が搭載されるコンピュータ等の電子機器側のコンピュータ装置により、斯かる制御プログラムが実行され、メモリ・チップのアドレス情報を用いることにより、メモリ・チップが特定される。特定されたメモリ・チップの記憶部にある制御情報をコンピュータ装置側で書換えることにより、使用環境の変化等に対応することができ、メモリ装置の互換性や最適化が高められ、上記目的が達成される。【００２０】
上記目的を達成するため、本発明の第４の側面は、単一又は複数のメモリ・チップを備えるメモリ装置を備えるメモリ・カードであって、前記メモリ・チップに該メモリ・チップの制御情報を記憶する記憶部を備える構成としてもよい。斯かる構成によっても、上記目的が達成される。【００２１】
上記目的を達成するためには、上記メモリ・カードにおいて、好ましくは、前記メモリ・チップは、単一又は複数のメモリ・マトリクスを備える構成としてもよく、斯かる構成によっても、上記目的が達成される。【００２２】
上記目的を達成するためには、上記メモリ・カードにおいて、好ましくは、前記記憶部は、固定情報を記憶する第１の記憶素子と、変動情報を記憶する第２の記憶素子とを含む構成としてもよく、斯かる構成によっても、上記目的が達成される。【００２３】
上記目的を達成するためには、上記メモリ・カードにおいて、好ましくは、前記第２の記憶素子の前記メモリ・チップの変動情報は、前記メモリ・チップを特定するアドレス情報に基づいて読み書き可能な構成としてもよく、斯かる構成によっても、上記目的が達成される。【００２４】
上記目的を達成するためには、上記メモリ・カードにおいて、好ましくは、前記第１の記憶素子は、不揮発性記憶素子で構成してもよく、斯かる構成によっても、上記目的が達成される。【００２５】
上記目的を達成するため、本発明の第５の側面は、単一又は複数のメモリ・チップを備えるメモリ装置が搭載される回路基板であって、前記メモリ装置が、メモリ・チップに該メモリ・チップの制御情報を記憶する記憶部を備える構成である。斯かる構成によっても、上記目的が達成される。【００２６】
上記目的を達成するためには、上記回路基板において、好ましくは、上記メモリ・カードを装着するスロットを備える構成としてもよく、斯かる構成によっても、上記目的が達成される。【００２７】
上記目的を達成するため、本発明の第６の側面は、上記メモリ装置を備える電子機器であってもよい。この電子機器は、コンピュータ装置等、メモリ装置を用いて情報記憶を行うものであればよい。斯かる構成によっても、上記目的が達成される。【００２８】
上記目的を達成するため、本発明の第７の側面は、上記回路基板を備える電子機器であってもよい。この場合も、電子機器は、コンピュータ装置等、メモリ装置を用いて情報記憶を行うものであればよい。斯かる構成によっても、上記目的が達成される。【００２９】
上記目的を達成するため、本発明の第８の側面は、上記メモリ・カードを備える電子機器であってもよい。この場合も、電子機器は、コンピュータ装置等、メモリ装置を用いて情報記憶を行うものであればよい。斯かる構成によっても、上記目的が達成される。
【発明の効果】
【００３０】
本発明によれば、次のような効果が得られる。【００３１】
(1) メモリ・チップの内部にメモリ・チップの制御情報を記憶する記憶部を備えるので、この記憶部にある制御情報を用いてメモリ・チップ単位で使用でき、しかも、記憶部内の制御情報に応じて仕様変更等の環境変化にメモリ・チップを対応させることができ、融通性を向上させることができる。【００３２】
(2) メモリ・チップ単位で個別に制御でき、メモリとしての最適化を図ることができる。【００３３】
(3) メモリ・チップ内の記憶部にある制御情報の書換えにより、メモリとしての互換性を高めることができる。【００３４】
そして、本発明の他の目的、特徴及び利点は、添付図面及び各実施の形態を参照することにより、一層明確になるであろう。
【図面の簡単な説明】
【００３５】
【図１】従来のメモリ・モジュールの構成を示す図である。
【図２】第１の実施の形態に係るメモリ・モジュールの構成例を示す図である。
【図３】メモリ・チップの構成例を示すブロック図である。
【図４】コントロール・レジスタの入出力制御を示すタイミングチャートである。
【図５】第２の実施の形態に係るパーソナルコンピュータの構成例を示す図である。
【図６】制御情報の書込み／書換え処理の処理手順を示すフローチャートである。
【図７】第３の実施の形態に係るメモリ・カードの構成例を示す図である。
【図８】第４の実施の形態に係る回路基板の構成例を示す図である。
【符号の説明】
【００３６】
１００  メモリ・モジュール
２０１、２０２、２０３・・・２０Ｎ  メモリ・チップ
２１１、２１２、２１３、２１４  メモリ・マトリクス
２２０  記憶部
２２１  ＳＰＤ記憶部
２２２  コントロール・レジスタ
２３１、２３２、２３３・・・２３Ｎ  バス
３００  パーソナルコンピュータ
３１８  メモリ・モジュール処理プログラム
４００  メモリ・カード
５００  回路基板
【発明を実施するための最良の形態】
【００３７】
〔第１の実施の形態〕【００３８】
本発明の第１の実施の形態について、図２を参照して説明する。図２は、第１の実施の形態に係るメモリ・モジュールの構成例を示す図である。図２は、本発明のメモリ装置の一例であって、本発明が図２に示す構成に限定されるものではない。【００３９】
メモリ・モジュール１００は、本発明に係るメモリ装置の一例であって、例えば、回路基板に複数のメモリ・チップ２０１、２０２・・・２０Ｎが搭載されている。各メモリ・チップ２０１、２０２・・・２０Ｎは、メモリを構成する構成単位であって、最小構成単位である必要はないし、また、異なる構成であってもよい。この実施の形態では、メモリ・モジュール１００を複数のメモリ・チップ２０１、２０２・・・２０Ｎで構成しているが、単一のメモリ・モジュールで構成してもよい。【００４０】
この場合、各メモリ・チップ２０１、２０２・・・２０Ｎには、複数のバンクとして例えば、４組のメモリ・マトリクス２１１、２１２、２１３、２１４が設置されているとともに、制御情報の固定情報や変動情報を記憶する記憶部２２０が設置されている。各記憶部２２０は、ＲＯＭ（Read-Only Memory）、ＲＡＭ（Random-Access Memory）、不揮発性メモリ等で構成され、対応するメモリ・チップ２０１、２０２・・・２０Ｎの制御情報として例えば、規格情報及び／又は機能情報が個別に格納されている。即ち、メモリ・チップ２０１に設置された記憶部２２０には、メモリ・チップ２０１に関する規格情報及び／又は機能情報が記憶され、また、メモリ・チップ２０２に設置された記憶部２２０には、メモリ・チップ２０２に関する規格情報及び／又は機能情報が記憶される如くである。【００４１】
そして、各メモリ・チップ２０１〜２０Ｎには個別にバス２３１、２３２・・・２３Ｎが接続され、アドレス情報によって特定されたメモリ・チップ２０１〜２０Ｎに対するデータの読み書きが可能であるとともに、記憶部２２０にある規格情報及び／又は機能情報が、メモリ・チップ２０１〜２０Ｎを特定するアドレス情報に基づき、書込み又は書換え可能である。【００４２】
斯かる構成によれば、メモリ・モジュール１００に搭載された複数のメモリ・チップ２０１〜２０Ｎは、それぞれが持つ記憶部２２０にある規格情報及び／又は機能情報によって規格や機能が規制されるものの、各記憶部２２０の記憶情報によって異なる構成とすることができる。換言すれば、記憶部２２０にある記憶情報が、メモリ・チップ２０１〜２０Ｎ又は全体のメモリ・モジュール１００を識別する識別情報として機能する。【００４３】
そして、記憶部２２０にある記憶情報をメモリ・チップ２０１〜２０Ｎの識別情報として機能させれば、その記憶情報を以て各メモリ・チップ２０１〜２０Ｎを特定し、個別にデータの読み書きが可能となる。単一のメモリ・モジュール１００でありながら、各メモリ・チップ２０１〜２０Ｎを異なる仕様即ち、異なる規格や機能で個別に使用することができ、メモリ・モジュール１００が極めて融通性の高いメモリ装置を構成している。【００４４】
また、記憶部２２０にある記憶情報をベースに各メモリ・チップ２０１〜２０Ｎを個別に制御することができるので、各メモリ・チップ２０１〜２０Ｎ又はメモリ・モジュール１００の規格や機能を変更し、使用環境に対応できる等、メモリとしての最適化や互換性を高めることができる。【００４５】
次に、このメモリ・モジュール１００に設置されるメモリ・チップ２０１〜２０Ｎについて、図３を参照して説明する。図３は、メモリ・チップの構成例を示すブロック図である。図３において、図２と同一部分には、同一符号を付してある。【００４６】
各メモリ・チップ２０１〜２０Ｎには、複数のメモリ・マトリクス２１１〜２１４が設置されるとともに、各メモリ・マトリクス２１１〜２１４に対応するＲｏｗ（行）デコーダ２４１、２４２、２４３、２４４及びセンス／Ｃｏｌｕｍｎ（列）デコーダ２５１、２５２、２５３、２５４が設置されている。各メモリ・マトリクス２１１〜２１４には、複数のメモリセルがマトリクス状即ち、複数行、複数列に配置されている。この場合、Ｎビット分のアドレス信号は、Ｎビット分の行バッファを経て、行アドレス選択信号ＲＡＳにより、Ｒｏｗデコーダ２４１〜２４４に入り、一行分のメモリセルが選択される。また、列アドレス選択信号ＣＡＳによってセンス／Ｃｏｌｕｍｎデコーダ２５１〜２５４に入り、その列が選択され、データの読み書きが可能になる。このような動作がメモリ・マトリクス２１１〜２１４毎に可能である。【００４７】
記憶部２２０には、第１の記憶素子としてＳＰＤ記憶部２２１が設置されているとともに、第２の記憶素子としてコントロール・レジスタ２２２が設置されている。ＳＰＤ記憶部２２１には、固定情報であるとともに、規格情報及び／又は機能情報であるＣＡＳ（Column Address Strobe ）レイテンシィ等が記憶され、コントロール・レジスタ２２２には、ＳＰＤ記憶部２２１から読み出された情報や外部からの機能情報等の変動情報が記憶される。コントロール・レジスタ２２２に記憶される制御情報として規格情報及び／又は機能情報は、アドレスバスＡＢからのアドレス情報によって読み書きされる。Ａｏ〜Ａｎは書込みアドレス、Ｂｏ〜Ｂｍはバンクアドレスである。【００４８】
記憶部２２０のＳＰＤ記憶部２２１、コントロール・レジスタ２２２には、入出力回路２８０が接続されており、この入出力回路２８０には、データバスＤＢが接続され、外部装置との規格情報及び／又は機能情報等のデータ授受が行われる。ＤＱｏ〜ＤＱｐはデータである。【００４９】
斯かる構成において、コントロール・レジスタ２２２には、図４に示すように、クロック信号ＣＬＫ（図４のＡ）、チップセレクト信号ＣＳ（図４のＢ）、行アドレス選択信号ＲＡＳ（図４のＣ）、列アドレス選択信号ＣＡＳ（図４のＤ）、ライトイネーブル信号ＷＥ（図４のＥ）、リードコマンドとしてアドレス情報Ａｏ〜Ａｎ、Ｂｏ〜Ｂｍ（図４のＦ）が加えられる。このようなリードコマンド信号を受けることにより、コントロール・レジスタ２２２から入出力回路２８０を通してＤＢ２６４には、出力データＤＱｏ〜ＤＱｐ（図４のＧ）が得られる。【００５０】
また、コントロール・レジスタ２２２には、同様にＳＰＤ記憶部２２１から読み出された情報が転送され、このコントロール・レジスタ２２２に記憶された規格情報又は機能情報によって、メモリ・マトリクス２１１〜２１４の機能や動作が決定される。【００５１】
〔第２の実施の形態〕【００５２】
本発明の第２の実施の形態について、図５及び図６を参照して説明する。図５は、第２の実施の形態に係るパーソナルコンピュータ（ＰＣ）の構成例を示す図、図６は、記憶部の格納情報の書込み又は読出し処理の処理手順を示すフローチャートである。図５において、図２又は図３と同一部分には同一符号を付してある。【００５３】
このＰＣ３００は、メモリ・モジュール１００を備える電子機器の一例であって、メモリ・モジュール１００のメモリ・チップ２０１〜２０Ｎにある各記憶部２２０の記憶情報をアドレス情報に基づいて読み書き可能に構成されている。【００５４】
このＰＣ３００には、ＣＰＵ（Central Processing Unit ）３０２が設置され、このＣＰＵ３０２には、バス３０４を介してノースブリッジ（チップ・セット）３０６が接続され、ノースブリッジ３０６にはメモリ・モジュール１００が接続されているとともに、サウスブリッジ３０８を介して入出力（Ｉ／Ｏ）インタフェース部３１０が接続されている。ノースブリッジ３０６は、ＣＰＵ３０２とメモリ・モジュール１００とのデータの受渡しを行う手段であり、サウスブリッジ３０８は、ＣＰＵ３０２とＩ／Ｏインタフェース部３１０との間でデータの受渡しを行う手段である。【００５５】
メモリ・モジュール１００は、既述した通り（図２及び図３）の構成を備えており、同一符号を付してその説明を省略する。【００５６】
そして、サウスブリッジ３０８とＩ／Ｏインタフェース部３１０との間に介在させたバス３１２には、不揮発性メモリ等で構成される記憶部３１４が接続され、この記憶部３１４には、ＢＩＯＳ（Basic  Input/Output System）３１６や、メモリ・モジュール１００の記憶部２２０にある制御情報の書込み又は書換えを行うためのメモリ・モジュール処理プログラム３１８が記憶されている。メモリ・モジュール処理プログラム３１８は、ハードディスク装置（ＨＤＤ）等の不揮発性メモリで構成される記憶装置３２０に記憶されているオペレーションシステム（ＯＳ）で実行可能とすればよい。また、Ｉ／Ｏインタフェース部３１０には、入出力装置として例えば、キーボード３２２や図示しない表示装置が接続されている。【００５７】
斯かる構成において、メモリ・モジュール１００の制御情報の書込み又は書換えについて、図６を参照して説明する。図６は、その処理手順を示すフローチャートである。【００５８】
通常のメモリアクセスはメモリのアドレスに対して成されるが、制御情報であるパラメータのリードやライトに当たっては、メモリ・コントローラであるノースブリッジ３０６にあるコマンドレジスタに対するパラメータ情報のリードやライト等のためのアドレスに対し、また、パラメータのリード等のためにデータレジスタのアドレスに対してアクセスが成される。【００５９】
メモリの初期化手順は、先ず、コマンド（パラメータ情報のリード）のライトが行われ（ステップＳ１）、続いてパラメータ情報のリード（ステップＳ２）が行われる。次に、コマンド（パラメータ情報のライト）のライトが行われ（ステップＳ３）、この処理を終了する。この結果、メモリ・モジュール１００の記憶部２２０には、規格や機能を表す制御情報が書き込まれ、又はそれを更新することができる。【００６０】
〔第３の実施の形態〕【００６１】
本発明の第３の実施の形態について、図７を参照して説明する。図７は、第３の実施の形態に係るメモリ・カードの構成例を示す図である。図７において、図２又は図３と同一部分には同一符号を付してある。【００６２】
このメモリ・カード４００は、既述のメモリ・モジュール１００の具体的な実施例であって、回路基板４０２にはマザーボード側のソケットに挿入されて電気的な接続を図るコネクタ部４０４、４０６が形成され、コネクタ部４０４側には４組のメモリ・チップ４１１、４１２、４１３、４１４、コネクタ部４０６側には４組のメモリ・チップ４２１、４２２、４２３、４２４が搭載されている。各メモリ・チップ４１１〜４１４、４２１〜４２４には、既述の通りのメモリ・マトリクス２１１〜２１４及び記憶部２２０が搭載されている。【００６３】
このようなメモリ・カード４００によれば、既述した通り、異なる規格や機能で個別に使用することができ、極めて融通性の高いメモリ装置を構成でき、規格や機能を変更し、使用環境に対応できる等、メモリとしての最適化や互換性を高めることができる。【００６４】
〔第４の実施の形態〕【００６５】
本発明の第４の実施の形態について、図８を参照して説明する。図８は、第４の実施の形態に係る回路基板の構成例を示す図である。図８において、図２、図３、図５又は図７と同一部分には同一符号を付してある。【００６６】
この回路基板５００には、既述のメモリ・モジュール１００を搭載したメモリ・カード４００を装着するためのメモリ・スロット５０２が搭載されているとともに、ノースブリッジ３０６が搭載されている。ノースブリッジ３０６とメモリ・スロット６０２とはバスによって接続され、データの授受が可能である。【００６７】
このような回路基板５００によれば、メモリ・カード４００に搭載されている記憶部２２０の制御情報を書込み、融通性の高いメモリ・アクセスを実現することができる。【００６８】
〔その他の実施の形態等〕【００６９】
上記実施の形態の変形例や特徴事項等について、以下に列挙する。【００７０】
(1) 上記実施の形態に記載の通り、メモリ・モジュール１００がメモリインタフェースの機能をカバーしており、高度な互換性の維持が図られる。この場合、互換の維持とは、例えばメモリ・チップを搭載したモジュールが永続的に使用することができるという意である。【００７１】
(2) メモリ・チップ２０１〜２０Ｎの記憶部２２０には、プログラムによる判定機能を持たせることが可能である。その場合、インタフェースのタイミングが世代によって異なる場合、制御用インタフェースを別に持たせて、それによって識別する方法を用いてもよい。【００７２】
(3) 上記実施の形態では、メモリ装置の適用例である電子機器として、ＰＣ３００を例示したが、本発明は、ＰＣ機能を持つテレビ装置、サーバ装置、電話装置等に広く用いることができる。【００７３】
以上述べたように、本発明の最も好ましい実施の形態等について説明したが、本発明は、上記記載に限定されるものではなく、請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００７４】
本発明は、メモリ・チップの内部にメモリ・チップの規格情報及び／又は機能情報等の制御情報を記憶する記憶部を備え、メモリ・チップ単位で用いることができ、仕様変更等の環境変化にメモリ・チップを対応させることができ、メモリの融通性、最適化又は互換性を高めることができ、有用である。
【図１】
2007116483.tif 000003
【図２】
2007116483.tif 000004
【図３】
2007116483.tif 000005
【図４】
2007116483.tif 000006
【図５】
2007116483.tif 000007
【図６】
2007116483.tif 000008
【図７】
2007116483.tif 000009
【図８】
2007116483.tif 000010
【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
単一又は複数のメモリ・チップを備えるメモリ装置であって、
メモリ・チップに該メモリ・チップの制御情報を記憶する記憶部を備えることを特徴とするメモリ装置。
【請求項２】
請求項１のメモリ装置において、
前記メモリ・チップは、単一又は複数のメモリ・マトリクスを備えることを特徴とするメモリ装置。
【請求項３】
請求項１のメモリ装置において、
前記制御情報は、前記メモリ・チップの規格情報及び／又は機能情報であることを特徴とするメモリ装置。
【請求項４】
請求項１のメモリ装置において、
前記記憶部は、固定情報を記憶する第１の記憶素子と、変動情報を記憶する第２の記憶素子とを含むことを特徴とするメモリ装置。
【請求項５】
請求項４のメモリ装置において、
前記第２の記憶素子の前記メモリ・チップの変動情報は、前記メモリ・チップを特定するアドレス情報に基づいて読み書き可能であることを特徴とするメモリ装置。
【請求項６】
単一又は複数のメモリ・チップを備えるメモリ装置の制御方法であって、
前記メモリ・チップの制御情報を、前記メモリ・チップを特定するアドレス情報に基づいて読み書きするステップを含むことを特徴とする、メモリ装置の制御方法。
【請求項７】
単一又は複数のメモリ・チップを備えるメモリ装置の制御プログラムであって、
前記メモリ・チップに該メモリ・チップの制御情報を、前記メモリ・チップを特定するアドレス情報に基づいて読み書きする処理をコンピュータ装置に実行させるためのメモリ装置の制御プログラム。
【請求項８】
単一又は複数のメモリ・チップを備えるメモリ装置を備えるメモリ・カードであって、
前記メモリ・チップに該メモリ・チップの制御情報を記憶する記憶部を備えることを特徴とするメモリ・カード。
【請求項９】
単一又は複数のメモリ・チップを備えるメモリ装置が搭載される回路基板であって、
前記メモリ装置が、メモリ・チップに該メモリ・チップの制御情報を記憶する記憶部を備えることを特徴とする回路基板。
【請求項１０】
請求項８のメモリ・カードを装着するスロットを備えることを特徴とする回路基板。
【請求項１１】
請求項１ないし５のメモリ装置を備えることを特徴とする電子機器。
【請求項１２】
請求項８のメモリ・カードが搭載されたことを特徴とする電子機器。
【請求項１３】
請求項９又は１０記載の回路基板を備えることを特徴とする電子機器。
【国際調査報告】
2007116483.tif 000011
2007116483.tif 000012
2007116483.tif 000013
2007116483.tif 000014